(57)【特許請求の範囲】
【請求項１】
遊技機の盤面上に、始動入賞口と、図柄表示機と、保留部とを順に設けてなり、入賞口を一定時間開放し続けるための遊技上の当たりを規定する権利発生装置を備え、パチンコ球が前記始動入賞口に入ると、前記パチンコ球は、前記図柄表示機による当落表示結果を介して前記保留部に移動し、該保留部の当落方向の回転に伴い、当たり方向に放出された前記パチンコ球を、当たりの権利発生検出スイッチが感知することで、当たりの権利を発生させるパチンコ遊技機であって、前記当たりの権利発生検出スイッチは、前記保留部に近接して配設するとともに、前記図柄表示機が当たりを示す場合に、前記保留部に拘束された状態の前記パチンコ球を前記権利発生検出スイッチが検出できる位置まで前記保留部を回転させた後、当たり状態の終了まで前記保留部の回転を停止させ、当たり状態の終了後に、前記パチンコ球を有する前記保留部の回転を進め、前記パチンコ球を前記保留部から放出させることを特徴とするパチンコ遊技機の権利発生装置。
【請求項２】
前記保留部は、停電による前記遊技機作動停止時に回転を停止し、前記保留部に拘束された状態の前記パチンコ球を視認可能な位置に保持することを特徴とする、請求項１に記載のパチンコ遊技機の権利発生装置。
【請求項３】
バックアップ電源を供給することができる権利発生の検出スイッチの検出情報及び図柄表示器の表示状態若しくは「当たり」等の結果を決定する機能を有する装置の決定の少なくとも１つを記憶する記憶装置を備えることを特徴とする、請求項１に記載のパチンコ遊技機の権利発生装置。
【発明の詳細な説明】
【０００１】
【発明の属する技術分野】
本発明は、パチンコ遊技機の大当たり権利発生装置の構成に関する。
【０００２】
【従来の技術】
パチンコ遊技機の遊技盤面上に設けられた特定の部位（保留部）にパチンコ球が入賞されたこと又は特定の部位に特定の時間内にパチンコ球が入賞されたことを、遊技機内の検出スイッチが感知することで、所定の大入賞口が開放し、所定の賞球が遊技客に放出される当たり状態を発生させるタイプがある。ここで保留部とは、パチンコ球を一時的に保留できるものであり、それが特定方向に移動若しくは回転移動し、遊技上の当たり又ははずれのいずれかに振り分ける機能を有する振分体の性質をも同時に持つものもある。
上記のタイプのパチンコ機は通常は２種類のタイプのものが該当する。第１に、いわゆる権利物タイプのパチンコ機（第３種パチンコ機）があり、可変図柄表示器、これを始動させる始動入賞口、大当たり状態で開放し続ける大入賞口等が関連づけて遊技盤面上に配設され、始動入賞口に打球が入賞すると可変図柄表示器の表示状態の変動を開始させると共に、その停止した可変図柄表示器の表示結果が当たりであれば大当たりの権利発生となり、その大当たり状態で大入賞口が一定時間開放し続ける特徴を持つ。
【０００３】
この第３種パチンコ機の多くは、いわゆるフィーバータイプのパチンコ機（第１種パチンコ機）と異なり、いわゆる大当たりの権利発生が可変図柄表示器の表示結果のみでは発生せず、始動入賞口に入ったパチンコ球が最終的に権利発生の検出スイッチに感知されることで権利発生となる。ここで、権利発生に至るまでの詳細な順序について述べると、先ず大当たりの権利発生である前提の第一段階として、可変図柄表示器の表示結果が当たりであること、次に、この可変図柄表示器の表示状態の変動を開始させた通常は１個のパチンコ球が権利発生の検出スイッチに感知されることが第２段階である。この一連の動作により権利発生が確定し大当たり状態となる。
また、第２種パチンコ機（いわゆるヒコーキタイプ）においても、特定の部位（保留部）にパチンコ球があること又はあったことが検出スイッチで感知され、所定の大入賞口が開放し、所定の賞球が遊技客に放出される当たり状態を発生させるタイプがある。
【０００４】
上述の第３種パチンコ機の大当たりの権利発生の過程において、第１段階の権利発生の前提条件を満たせば、必然的に第２段階の権利発生の検出スイッチにパチンコ球が感知され、権利発生の情報をパチンコ機本体のコンピューターに伝達する。この過程は、遊技客も当然に予測しておりこの間に如何なる障害もなく又発生しないと考えている。
同様のことは第２種パチンコ機にも該当し、第１段階として特定の部位（保留部若しくは保留部を有する振分体）にパチンコ球が入りさえすれば又は振分体では特定の位置に移動したことが、必然的に第２段階の権利発生の検出スイッチにパチンコ球が感知され、当たり状態になることが当然の予想としてある。
【０００５】
しかしながら、第１段階での役割を終えたパチンコ球は、所定の経路を通り第２段階の権利発生の検出スイッチに感知されるが、この所定の経路を通過している僅かな時間は、パチンコ球に自由に遊離している状態を許している。仮にここで、何らかの障害により停電となり、パチンコ機に電気の供給が遮断されると、第１段階の権利発生の前提条件を満たしたパチンコ球は、第２段階の権利発生の検出スイッチに感知されないまま、所定の経路を通過してしまい、結果として大当たりの権利発生はせず、停電によりその情報も喪失しているので、遊技客の当然の予測が裏切られ、パチンコ店側もその情報がないために、その損失を補填することも困難となる。
【０００６】
【発明が解決しようとする課題】
本発明は、上記技術の有する問題点を鑑みて創出されたものであり、その目的は、権利発生の前提条件を満たしたパチンコ球を確実に権利発生の検出スイッチに感知させること、並びにその前提条件を満たしたことを示す可変図柄表示器の表示状態及び権利発生の検出情報を喪失させず保存することにより、停電等によるパチンコ機への電気供給の遮断時における大当たり等の情報保持を図るものである。
【０００７】
【課題を解決するための手段】
上記目的を達成するために、本発明では、遊技機の盤面上に、始動入賞口と、図柄表示機と、保留部とを順に設けてなり、入賞口を一定時間開放し続けるための遊技上の当たりを規定する権利発生装置を備え、パチンコ球が前記始動入賞口に入ると、前記パチンコ球は、前記図柄表示機による当落表示結果を介して前記保留部に移動し、該保留部の当落方向の回転に伴い、当たり方向に放出された前記パチンコ球を、当たりの権利発生検出スイッチが感知することで、当たりの権利を発生させるパチンコ遊技機であって、前記当たりの権利発生検出スイッチは、前記保留部に近接して配設するとともに、前記図柄表示機が当たりを示す場合に、前記保留部に拘束された状態の前記パチンコ球を前記権利発生検出スイッチが検出できる位置まで前記保留部を回転させた後、当たり状態の終了まで前記保留部の回転を停止させ、当たり状態の終了後に、前記パチンコ球を有する前記保留部の回転を進め、前記パチンコ球を前記保留部から放出させるものである。また、前記保留部は、停電による前記遊技機作動停止時に回転を停止し、前記保留部に拘束された状態の前記パチンコ球を視認可能な位置に保持する。さらに、バックアップ電源を供給することができる権利発生の検出スイッチの検出情報及び図柄表示器の表示状態若しくは「当たり」等の結果を決定する機能を有する装置の決定の少なくとも１つを記憶する記憶装置を備える。
【０００８】
【発明の実施の形態】
一般的な第３種パチンコ機を例に挙げながら、本発明の実施の形態について説明する。遊技機盤面上の中心上部に配設された特定入賞口（１）にパチンコ球（１０）が入ると、その下部のセンター回転体（２）までその球が落下・移動する。センター回転体（２）は、５つのパチンコ球が入る穴（３．４）を有しており、その内の１つが当たり穴（３）を始動入賞口として機能させ、パチンコ球が入ると図柄表示器（５．６．７）の表示状態を変動させる。センター回転体は常時回転しているので、特定入賞口に入った球は１／５の確率で当たり穴（３）に入ることになる。
当たり穴に入ったパチンコ球は、センター回転体下部の所定の経路を落下・移動し、遊技機盤面上の下部に配設させたパチンコ球を保留する振分体（保留部）（８） まで移動する。ここで、先の図柄表示器の結果が予め規定した「はずれ」を示すと、振分体（８）は左回転し大当たりの権利発生とはならず、一方で、図柄表示器の表示結果が予め規定した「当たり」を示すと、権利発生の前提を満足し振分体（８）は右回転し、大当たりの権利発生となる。
【０００９】
また、図柄表示器の機能の特徴は、それ自体の内部に設けられたプログラムによる表示結果の決定、及び遊技客がその結果を視認できる図柄表示機能を有するタイプがあり、他方で「当たり」等の結果を決定する機能を有する装置、及び遊技客がその結果を視認できる図柄表示機能を有する装置が離れて別個に設けられいるタイプがある。いずれのタイプでも図柄表示の表示状態ではなく、「当たり」等の結果を決定する機能を有する装置の決定により、遊技機は「当たり」の権利発生等に誘導される。
しかし、上述したように、第３種パチンコ機又は第２種パチンコ機の一部は、パチンコ球自身が最終的に権利発生の検出スイッチに感知されることで権利発生となるので、単に図柄表示器の表示結果又は振分体の回転方向の情報を直接の権利発生の契機とはしていない。
【００１０】
本発明では、図柄表示器の表示状態を変動させたパチンコ球が、右回転する振分体に拘束されたままで、振分体（８）の右側に近接して配設された権利発生の検出スイッチ（９）に感知されることを特徴としている。権利発生の検出スイッチ（９）を、振分体（８）の球放出出口の直前に配設したことにより、パチンコ球を検出した後に振分体から球が放出される。大当たりの権利発生は、この感知された情報に基づいて開始される。ここで、権利発生の検出スイッチ（９）は、僅かに離れたパチンコ球を検出できる非接触型のものでも、金属板等に接触して感知されるものでもよい。
【００１１】
このような構成により、従来例とは異なり、図柄表示器の表示状態を変動させたパチンコ球が、所定の経路を通ることなく、つまり、この間のパチンコ球が自由に遊離している状態をなくし、権利発生の前提条件を満たしたパチンコ球を確実に権利発生の検出スイッチに感知させることを可能とする。また、振分体に拘束されたままで、振分体（８）の右側に近接して配設された権利発生の検出スイッチ（９）に感知され権利発生となるが（図３）、その感知されたままの状態を、権利発生からその終了まで保持することにより、つまり、振分体（８）の回転を停止させ、大当たり状態の終了後に、パチンコ球の入った振分体（８）の回転を進め、放出される構成を採用してもよい。本構成では、大当たり状態の直前又はその途中に停電等のトラブルがあっても、大当たりを示す位置にパチンコ球が残っているので、停電前に大当たり状態であったことを視覚的に確認できる。また、遊技店が大当たりによる出玉を補填したり、下記に挙げるバックアップ情報が喪失した場合にも有効的で、停電復旧後の遊技の継続にも円滑に対応できる。
また、パチンコ球の検出情報及び図柄表示器の表示状態若しくは「当たり」等の結果を決定する機能を有する装置の決定の少なくとも１つを記憶する記憶装置にバックアップ電源を供給することで、これらの情報が喪失しないようにした。
【００１２】
従って、パチンコ機の遊戯中の如何なる時に、停電等によりパチンコ機へ電気の供給が遮断されたとしても、大当たりの権利発生に進むべきか否かの判断が容易且つ確実となる。
すなわち、図柄表示器の表示状態を変動させたパチンコ球が、振分体（８）にある状態で、遊技機の作動が停止しても、球は拘束されたままの状態なので、左右のいずれかに回転が進んでいるかを、視認することができ、従来のようにパチンコ球が権利発生の検出スイッチを通過したのか否か判断できないとの問題が解決される。
【００１３】
【発明の効果】
以上説明した通り本発明は、振分体からパチンコ球を放出する前に、権利発生の検出スイッチによりパチンコ球を検出するので、停電等のトラブルがあっても、未検出の球を振分体から放出してしまうことがない。また、権利発生の検出スイッチの検出情報及び図柄表示器の表示状態を記憶する記憶装置にバックアップ電源を供給することで、これらの情報が喪失することなく、電源復帰時には正常且つ円滑に遊技を継続することができる。
【００１４】
さらに、バックアップ電源が正常に作動しない場合であっても、振分体の球放出口の直前に検出スイッチを配設したことで、電源復帰時には検出スイッチがパチンコ球を検出した後に振分体から球が放出することで、検出スイッチの未検出を防止することができる。
【００１５】
【図面の簡単な説明】
【図１】本発明によるパチンコ機の遊技盤面上の全体を示す正面図
【図２】本発明による大当たりの権利発生装置を示す正面図
【図３】本発明による振分体にあるパチンコ球を権利発生の検出スイッチが感知している状態を示す説明図
【符号の説明】
１    特定入賞口
２    センター回転体
３    当たり穴
４    はずれ穴
５    左図柄表示器
６    右図柄表示器
７    中図柄表示器
８    振分体（保留部）
９    権利発生の検出スイッチ
１０  パチンコ球
【図１】
0004731024.tif 000002
【図２】
0004731024.tif 000003
【図３】
0004731024.tif 000004